(57)【要約】【課題】コード画像を用いて印刷データを特定する画像形成装置において、より応用的な機能を有する画像形成装置を提供する。【解決手段】画像形成装置を搭載したネットワーク複合機１は、ユーザから印刷データの削除指示を受け付ける操作部１１と、用紙に印刷データと共に印刷されたＱＲコード（コード画像）を読み取る読取部１３と、読み取られたＱＲコードを解析して、識別文字列と印刷データを特定するユニークＩＤとを取得するＩＤ取得部１０Ｄと、ユニークＩＤによって特定される印刷データを保存フォルダの中から検索するデータ検索部１０Ｅと、削除指示が受け付けられ、かつ、識別文字列が取得された場合に、データ検索部１０Ｅによって検索された印刷データを削除するデータ加工部１０Ｆとを備える。【選択図】図３
2011055209.tif 000002
【特許請求の範囲】
【請求項１】
用紙に印刷データと共に印刷されたコード画像を読み取る読取手段と、
前記読取手段によって読み取られたコード画像を解析して、前記印刷データを特定する特定情報を取得する取得手段と、
前記取得手段により取得された特定情報によって特定される印刷データを保存フォルダの中から検索する検索手段と、
前記検索手段によって検索された印刷データに対して加工を施すデータ加工手段と、
を備えることを特徴とする画像形成装置。
【請求項２】
ユーザから加工の指示を受け付ける受付手段を備え、
前記取得手段は、前記コード画像を解析して当該コード画像が前記特定情報を含む旨の識別文字列を取得し、
前記データ加工手段は、前記受付手段によって前記指示が受け付けられ、かつ、前記取得手段によって前記識別文字列が取得された場合に前記印刷データに対して前記指示に応じた加工を施すことを特徴とする請求項１に記載の画像形成装置。
【請求項３】
前記データ加工手段による前記印刷データに対する加工は、前記印刷データの削除であることを特徴とする請求項１又は２に記載の画像形成装置。
【発明の詳細な説明】
【技術分野】
【０００１】
本発明は、画像形成装置に関する。
【背景技術】
【０００２】
一般的には、紙文書をコピーする際、紙文書がスキャナで読み取られ、その読み取られたデータが用紙に印刷される。この場合、コピーを繰り返すうちに、印刷される文字や画像が劣化する。そこで、スキャンしたデータを印刷するのではなく、保存された印刷データを印刷することにより、画像等の劣化を防止する画像形成装置がある（例えば、特許文献１参照）。特許文献１に記載の画像形成装置では、最初に印刷データを用紙へ印刷する際に、印刷データが保存され、保存された印刷データの識別情報を含むＱＲコード（登録商標）が印刷データと共に用紙に印刷される。そして、紙文書をコピーする際に、ＱＲコードが読み取られ、識別情報によって特定された印刷データが用紙に印刷される。
【先行技術文献】
【特許文献】
【０００３】
【特許文献１】特開２００８−２６３４６９号公報
【発明の概要】
【発明が解決しようとする課題】
【０００４】
特許文献１に記載された画像形成装置では、ＱＲコード等のコード画像を用いて保存された印刷データを特定するが、その印刷データを印刷する以外の応用的な処理を行うことは考慮されていない。
【０００５】
そこで本発明は、コード画像を用いて印刷データを特定する画像形成装置において、より応用的な機能を有する画像形成装置を提供することを目的とする。
【課題を解決するための手段】
【０００６】
本発明に係る画像形成装置は、用紙に印刷データと共に印刷されたコード画像を読み取る読取手段と、読取手段によって読み取られたコード画像を解析して、印刷データを特定する特定情報を取得する取得手段と、取得手段により取得された特定情報によって特定される印刷データを保存フォルダの中から検索する検索手段と、検索手段によって検索された印刷データに対して加工を施すデータ加工手段と、を備えることを特徴とする。
【０００７】
本発明の画像形成装置によれば、用紙に印刷データと共に印刷されたコード画像が読み取られ、特定情報が取得される。そして、特定情報によって特定される印刷データが保存フォルダから検索され、検索された印刷データに対して加工が施される。このため、用紙に印刷されたコード画像を用いて印刷データを特定し、加工を施すことができる。よって、より応用的な機能を提供することが可能となる。また、コード画像を用いて用紙に印刷された印刷データが特定されるので、印刷データの加工を行う際に、ユーザがディスプレイ上で印刷データの内容を確認することなく、手元の用紙で印刷データの内容を簡単に確認することができる。
【０００８】
本発明に係る画像形成装置では、ユーザから加工の指示を受け付ける受付手段を備え、取得手段が、コード画像を解析して当該コード画像が特定情報を含む旨の識別文字列を取得し、データ加工手段は、受付手段によって指示が受け付けられ、かつ、取得手段によって識別文字列が取得された場合に印刷データに対して指示に応じた加工を施すことが好ましい。この場合、ユーザが印刷データの加工を指示することができる。
【０００９】
本発明に係る画像形成装置において、データ加工手段による印刷データに対する加工は、印刷データの削除であることが好ましい。この場合、ユーザは、手元の用紙で印刷データの内容を簡単に確認してから、印刷データの削除処理ができる。また、印刷データが削除されるので、メモリを有効活用することができる。
【発明の効果】
【００１０】
本発明によれば、コード画像を用いて印刷データを特定する画像形成装置において、より応用的な機能を提供することが可能となる。
【図面の簡単な説明】
【００１１】
【図１】実施形態に係る画像形成装置が搭載されたネットワーク複合機を含むネットワークの構成を示す図である。
【図２】ネットワーク複合機の構成を示すブロック図である。
【図３】ネットワーク複合機の制御部の構成を説明するための図である。
【図４】ネットワーク複合機によるコード画像の印刷時における文書管理処理を示すフローチャートである。
【図５】ネットワーク複合機による印刷データの削除処理の手順（前半部分）を示すフローチャートである。
【図６】ネットワーク複合機による印刷データの削除処理の手順（後半部分）を示すフローチャートである。
【発明を実施するための形態】
【００１２】
以下、図面を参照して本発明の好適な実施形態について詳細に説明する。ここでは、実施形態に係る画像形成装置が、ネットワーク複合機に搭載された場合を例にして説明する。
【００１３】
図１〜図３を併せて用いて、ネットワーク複合機１の構成について説明する。図１は、ネットワーク複合機１を含むネットワークの構成を示す図である。図２は、ネットワーク複合機１の構成を示すブロック図である。図３は、ネットワーク複合機１の制御部１０の構成を説明するための図である。
【００１４】
ネットワーク複合機１は、用紙６０をコピーする際に、用紙６０に印刷されたコード画像６１を読み取り、得られたユニークＩＤを用いて保存された印刷データを特定し、該印刷データを印刷する機能を有している。また、ネットワーク複合機１は、コード画像を用いて特定した印刷データを削除する等の加工を施す機能を有している。コード画像とは、数字、文字列などのコード情報を変換して得られる画像であり、例えば、バーコード等の１次元コード、ＱＲコード（登録商標、以下同様）等の２次元コードなどが含まれる。
【００１５】
なお、本明細書中において「加工」という文言は、出力処理（印刷処理）を除く狭義の処理の意として用いる。すなわち、データ加工としては、例えば、印刷データの削除、差し替え、追加、特殊印刷情報の付加などが挙げられる。
【００１６】
図１に示されるように、ネットワーク複合機１は、ＬＡＮ（ローカルエリアネットワーク）５０に接続されている。ＬＡＮ５０には、ＰＣ（パーソナルコンピュータ）３及びファイルサーバ４が接続されている。ＰＣ３には、ネットワーク複合機１のプリンタドライバ３１が搭載されている。このプリンタドライバ３１がＰＣ３上で実行されることにより、ＰＣ３を用いたネットワーク複合機１の利用が可能となる。また、ネットワーク複合機１は、ＬＡＮ５０を介してファイルサーバ４との間でデータの送受信が可能に構成されている。
【００１７】
図２に示されるように、ネットワーク複合機１は、制御部１０、操作部１１、表示部１２、読取部１３、印刷部１４、コーデック１５、画像記憶部１６、モデム１７、ＮＣＵ１８、ＩＦＡＸ制御部１９、及び、ＬＡＮインターフェース２０等を備えている。なお、各部は通信線２１で相互に通信可能に接続されている。
【００１８】
制御部１０は、演算を行うマイクロプロセッサ、マイクロプロセッサに各処理を実行させるためのプログラム等を記憶するＲＯＭ、演算結果などの各種データを一時的に記憶するＲＡＭ、及びデータがバックアップされているバックアップＲＡＭ等により構成されている。制御部１０は、ＲＯＭに記憶されているプログラムを実行することにより、以下に説明するネットワーク複合機１を構成する各部の機能を実現するとともに、ネットワーク複合機１を構成するハードウェアを統合的に制御する。なお、制御部１０の詳細については後述する。
【００１９】
操作部１１は、ネットワーク複合機１を操作するために用いられる複数の操作ボタンを備えている。ユーザは、操作部１１を利用して、ＱＲコード（コード画像）を用いたコピー指示、又は、印刷データの加工指示等をネットワーク複合機１に入力することができる。すなわち、操作部１１は、特許請求の範囲に記載の受付手段として機能する。
【００２０】
表示部１２は、設定内容等を表示する。読取部１３は、光源及びＣＣＤ等によって構成されており、紙文書等の原稿を読み取り、画像データを生成する。また、読取部１３は、ＱＲコードを用いた印刷データのコピー指示又は加工指示があった場合には、読取対象となる紙文書に印刷されたＱＲコードを読み取る。なお、読取部１３が、特許請求の範囲に記載の読取手段として機能する。
【００２１】
印刷部１４は、電子写真方式のプリンタであり、ＰＣ３等から入力された印刷データ、保存フォルダに保存された印刷データ、読取部１３により読み取られた画像データ、及び、ファクシミリで受信された画像データ等を用紙に印刷する。
【００２２】
コーデック１５は、読取部１３で読み取られた画像データを符号化圧縮するとともに符号化圧縮されている画像データを復号する。画像記憶部１６は、ＤＲＡＭ等で構成されており、コーデック１５で符号化圧縮された画像データ、及びファクシミリ受信された画像データ等を記憶する。
【００２３】
ＮＣＵ（Ｎｅｔｗｏｒｋ  Ｃｏｎｔｒｏｌ  Ｕｎｉｔ）１８は、モデム１７と接続されており、モデム１７と公衆交換電話網（ＰＳＴＮ）５１との接続を制御する。また、モデム１７及びＮＣＵ１８は、ＦＡＸの送受信機能を有する。ＩＦＡＸ制御部１９は、インターネットＦＡＸ（ＩＦＡＸ）機能を司る部分であり、読み取った送信原稿をＴＩＦＦ形式等の画像データとして電子メールに添付し、メールアドレス（ＳＭＴＰサーバ）宛てに送信する。
【００２４】
ＬＡＮインターフェース２０は、ＬＡＮ５０に接続され、信号変換及びプロトコル変換等のインターフェース処理を実行し、ＰＣ３及びファイルサーバ４との間で、信号及びデータの送受信を行う。
【００２５】
引き続いて、図３を参照して、制御部１０の構成について詳細に説明する。なお、図３には、制御部１０の説明に関わる構成要素を主に記載し、図２に記載したネットワーク複合機１の一部の構成要素を省略している。制御部１０は、ＩＤ生成部１０Ａ、文書管理部１０Ｂ、パス記憶部１０Ｃ、ＩＤ取得部１０Ｄ、データ検索部１０Ｅ、及びデータ加工部１０Ｆを備えている。
【００２６】
ＩＤ生成部１０Ａ及び文書管理部１０Ｂは、印刷データを保存する際の機能を有する。一方、ＩＤ取得部１０Ｄ及びデータ検索部１０Ｅは、読み取られたＱＲコードから印刷データを特定する機能を有する。
【００２７】
ＩＤ生成部１０Ａは、ＰＣ３から入力された印刷ジョブを識別するユニークＩＤを生成する。印刷ジョブとは、印刷を行う指示と共に、印刷データ、印刷時の設定等を示すジョブパラメータを含む情報である。このため、印刷ジョブを識別するユニークＩＤは、印刷データを特定可能な特定情報である。ユニークＩＤは、例えば、ＨＥＸデータ等である。
【００２８】
文書管理部１０Ｂは、印刷データを用紙１ページ分のデータ毎に１ファイルとし、各ファイルのファイル名を生成規則に従って生成する。ファイル名は、ユニークＩＤを含んで生成される。例えば、文書管理部１０Ｂは、ページデータである旨を示す「ｄａｔａ」、ユニークＩＤ「ＸＸＸＸＸＸＸＸ」、ページ番号Ｎを示す「ｐａｇｅＮ」を組み合わせて、「ｄａｔａＸＸＸＸＸＸＸＸ＿ｐａｇｅＮ．ｍｍｒ」といったファイル名を生成する。
【００２９】
また、文書管理部１０Ｂは、ネットワーク複合機１内のパス記憶部１０Ｃに記憶された機器設定情報から、印刷データ等を保存する保存フォルダのパス情報を取得する。パス記憶部１０Ｃは、予め設定された複数の保存フォルダを示すパス情報を記憶している。例えば、保存フォルダとして、ネットワーク複合機１内のフォルダ、又は、ファイルサーバ４内のフォルダを利用することができる。また、パス記憶部１０Ｃは、複数の保存フォルダの優先順位を示す優先情報も併せて保存している。この優先順位は、印刷データを保存する際及び検索する際の優先順位を示している。
【００３０】
文書管理部１０Ｂは、パス記憶部１０Ｃから取得した保存フォルダのパス情報と生成したファイル名とを連結して、各ページのファイルのフルパスを生成する。ファイル名にはユニークＩＤが含まれているので、フルパスには、保存フォルダのパス情報とユニークＩＤとが含まれる。このフルパスにより保存フォルダを指定して、各ページのファイルが保存フォルダに保存される。これにより、印刷データがユニークＩＤと対応付けられて保存フォルダに保存される。
【００３１】
また、文書管理部１０Ｂは、コマンドファイルのコマンドファイル名を生成規則に従って生成する。コマンドファイルは、ジョブパラメータを含むファイルである。コマンドファイル名は、ユニークＩＤを含む。例えば、文書管理部１０Ｂは、コマンドファイルであることを示す「ｃｍｄ」、ユニークＩＤ「ＸＸＸＸＸＸＸＸ」、印刷データの合計ページ数Ｎを示す「ｔｏｔａｌｐａｇｅＮ」を組み合わせて、「ｃｍｄＸＸＸＸＸＸＸＸ＿ｔｏｔａｌｐａｇｅＮ」といったコマンドファイル名を生成する。このコマンドファイルは、上記の各ページのファイルと同じ保存フォルダに保存される。
【００３２】
ＩＤ取得部１０Ｄは、特許請求の範囲に記載の取得手段として機能し、読取部１３によって読み取られたＱＲコードの情報を解析し、ユニークＩＤを取得する。なお、ＱＲコードには、印刷データを特定するためのユニークＩＤが含まれている旨を示す識別文字列「ＱＲＣＰＩＤ」が含まれている。識別文字列がＱＲコードの情報に含まれることにより、ユニークＩＤと形式が類似する別用途のＩＤと区別することができる。
【００３３】
データ検索部１０Ｅは、検索対象となるファイルのファイル名を生成規則に従って生成する。データ検索部１０Ｅが用いる生成規則は、文書管理部１０Ｂがファイル名又はコマンドファイル名を生成する際の生成規則と同じである。従って、保存された印刷データの各ファイル又はコマンドファイルのファイル名と同じファイル名が、データ検索部１０Ｅによって生成される。
【００３４】
データ検索部１０Ｅは、パス記憶部１０Ｃから取得した保存フォルダのパス情報と生成したファイル名とを連結して、検索対象となるファイルのフルパスを生成する。そして、生成したフルパスを用いて、ユニークＩＤを含むファイルの検索を行う。これにより、データ検索部１０Ｅは、該当する印刷データを特定する。すなわち、データ検索部１０Ｅは、特許請求の範囲に記載の検索手段として機能する。
【００３５】
データ加工部１０Ｆは、特許請求の範囲に記載のデータ加工手段として機能する。すなわち、データ加工部１０Ｆは、データ検索部１０Ｅによって検索された印刷データに対して加工を施す処理を行う。ここでデータ加工部１０Ｆが行う加工とは、保存フォルダ内の印刷データの削除、差し替え、追加、及び、特殊印刷を行うための情報の追加等が含まれる。なお、特殊印刷としては、部数を指定した印刷、両面印刷、変倍印刷等が挙げられる。変倍印刷には、拡大印刷、縮小印刷、用紙１ページに２ページ分の印刷データを印刷する２イン１印刷等が含まれる。
【００３６】
次に、図４を参照して、ネットワーク複合機１によるＱＲコードの印刷時における文書管理処理について説明する。図４は、ネットワーク複合機１によるＱＲコードの印刷時における文書管理処理を示すフローチャートである。
【００３７】
ユーザがＰＣ３内に保存されたデータの印刷指示を行うと、印刷ジョブが、ネットワーク複合機１によって受信される（ステップＳ１００）。なお、ユーザは、ＱＲコードを用いた印刷データの情報処理を後に行うため、印刷指示を行う際に、印刷データを保存する旨の指示を印刷ジョブに付加することができる。
【００３８】
印刷ジョブが受信されると、印刷ジョブに印刷データの保存指示が含まれているか否かが、制御部１０によって判断され（ステップＳ１０１）、保存指示が含まれていなければ（ステップＳ１０１でＮＯ）、文書管理処理を終了し、印刷データが用紙に印刷される。保存指示が含まれている場合（ステップＳ１０１でＹＥＳ）、印刷ジョブ（印刷データ）を識別するユニークＩＤが、ＩＤ生成部１０Ａによって生成される（ステップＳ１０２）。
【００３９】
続いて、保存フォルダのパス情報が、文書管理部１０Ｂによって取得される（ステップＳ１０３）。そして、印刷データの１ページ分のデータが１ファイルとされ、各ファイルのファイル名が、生成規則に従い文書管理部１０Ｂによって生成される（ステップＳ１０４）。続いて、生成されたファイル名と保存フォルダのパス情報とが連結され、各ページのファイルのフルパスが、文書管理部１０Ｂによって生成される（ステップＳ１０５）。
【００４０】
そして、各ページのファイルが、それぞれフルパスに従って保存フォルダに保存される（ステップＳ１０６）。印刷データの全ページのファイルについて、保存が完了すると（ステップＳ１０７でＹＥＳ）、ステップＳ１０８へ進む。保存が完了していない場合（ステップＳ１０７でＮＯ）は、ステップＳ１０４に戻り、ファイルの保存処理が実行される。
【００４１】
ステップＳ１０８では、コマンドファイル名が、生成規則に従い文書管理部１０Ｂによって生成される。その後、コマンドファイルが、印刷データの保存された保存フォルダに保存される（ステップＳ１０９）。
【００４２】
以上の処理により、ユーザがＰＣ３内に保存されたデータの印刷指示を行うと、印刷データがユニークＩＤと対応付けられて保存フォルダに保存される。一方、ネットワーク複合機１の印刷部１４によって、印刷データと共に、ユニークＩＤを示すＱＲコードが用紙に印刷され、紙文書が出力される。紙文書には、例えば、最初のページにＱＲコードが印刷される。
【００４３】
引き続いて、図５及び図６を参照して、印刷データの削除を例にして、ネットワーク複合機１による印刷データの加工処理について説明する。図５及び図６は、ネットワーク複合機１による印刷データの削除処理の手順を示すフローチャートである。
【００４４】
ユーザが、ＱＲコードの印刷された紙文書をネットワーク複合機１にセットし、操作部１１を利用して、ＱＲコードを用いた印刷データの削除指示を入力すると、当該削除指示が、ネットワーク複合機１によって受け付けられる（ステップＳ１１０）。そして、ＱＲコードの印刷されたページが、読取部１３によって読み取られる（ステップＳ１１１）。
【００４５】
続いて、削除処理を行うことを確認するための表示が、表示部１２によって表示される（ステップＳ１１２）。ユーザから削除処理を行わない旨の指示を入力すると（ステップＳ１１３でＮＯ）、処理が終了する。ユーザから削除処理を行う旨の指示を入力した場合であっても（ステップＳ１１３でＹＥＳ）、ＱＲコードが検出されなかった場合（ステップＳ１１４でＮＯ）は、エラー通知が表示部１２によって表示され（ステップＳ１１５）、処理が終了する。
【００４６】
ユーザから削除処理を行う旨の指示を入力され（ステップＳ１１３でＹＥＳ）、ＱＲコードが検出された場合（ステップＳ１１４でＹＥＳ）は、ＱＲコードの情報が、制御部１０によって解析される（ステップＳ１１６）。解析の結果、ＱＲコードの情報に識別文字列「ＱＲＣＰＩＤ」が含まれていなければ（ステップＳ１１７でＮＯ）、エラー通知が表示され（ステップＳ１１５）、処理が終了する。
【００４７】
識別文字列が含まれている場合（ステップＳ１１７でＹＥＳ）、ＱＲコードの情報からユニークＩＤがＩＤ取得部１０Ｄによって取得される（ステップＳ１１８）。続いて、印刷データを検索するために、優先情報に基づいて、優先順位の高い順に検索対象となる保存フォルダのパス情報が、取得される（ステップＳ１１９）。続いて、検索対象の保存フォルダからユニークＩＤが一致するコマンドファイルが、データ検索部１０Ｅによって検索される（ステップＳ１２０）。
【００４８】
該当するコマンドファイルが存在せず（ステップＳ１２１でＮＯ）、検索対象となる保存フォルダのうち未検索のフォルダが存在する場合（ステップＳ１２２でＮＯ）は、ステップＳ１１９へ戻り、次候補の検索対象となる保存フォルダ内の検索が行われる。該当するコマンドファイルが存在せず（ステップＳ１２１でＮＯ）、検索対象となる全ての保存フォルダ内の検索が終了している場合（ステップＳ１２２でＹＥＳ）は、エラー通知が表示され（ステップＳ１１５）、処理が終了する。
【００４９】
該当するコマンドファイルが存在する場合（ステップＳ１２１でＹＥＳ）、コマンドファイル名「ｃｍｄＸＸＸＸＸＸＸＸ＿ｔｏｔａｌｐａｇｅＮ」からトータルページ数「Ｎ」が、データ検索部１０Ｅによって取得される（ステップＳ１２３）。続いて、該当するコマンドファイルが保存されている保存フォルダ内から、ユニークＩＤが一致するファイル名を有するページ毎のファイルが検索される（ステップＳ１２４）。
【００５０】
そして、特定されたページ毎のファイルが、データ加工部１０Ｆによって削除される（ステップＳ１２５）。ステップＳ１２４、Ｓ１２５の処理を全ページのファイルを削除するまで行い（ステップＳ１２６）、その後、ステップＳ１２０で検索したコマンドファイルが、データ加工部１０Ｆによって削除される（ステップＳ１２７）。以上の処理により、紙文書に印刷されたＱＲコードを利用して紙文書に対応する印刷データを特定し、削除する。
【００５１】
なお、印刷データの追加、差し替え等の加工処理も上述した削除処理と略同様な手順で処理が実行される。より具体的に説明すると、印刷データの追加又は差し替えを行う際に、ユーザは、ＱＲコードが付された紙文書の後に、追加する紙文書又は差し替える紙文書を添付してネットワーク複合機１にセットし、操作部１１から追加指示又は差し替え指示を入力する。そうすると、上述したステップＳ１１０において、削除指示に代えて追加指示又は差し替え指示が受け付けられ、ステップＳ１１１においてＱＲコードが付された紙文書に加えて、追加される紙文書又は差し替えられる紙文書が読み取られる。その後、ユーザが追加又は差し替えを実行する旨の入力を行うと（ステップＳ１１３）、上述したステップＳ１１４〜Ｓ１２４の処理が実行される。続いて、ステップＳ１２５、Ｓ１２６において、特定された印刷データの削除に代えて、該印刷データに対する新たに読み取られた紙文書の追加、又は、該印刷データと新たに読み取られた紙文書データとの差し替えが行われる。
【００５２】
以上説明したネットワーク複合機１によれば、用紙に印刷データと共に印刷されたＱＲコードを用いて、保存された印刷データを特定し、保存された印刷データに対して加工を施すことができる。よって、より応用的な機能を提供することが可能となる。また、ＱＲコードを用いて用紙に印刷された印刷データが特定されるので、印刷データの加工を行う際に、ユーザがディスプレイ上で印刷データの内容を確認することなく、手元の用紙で印刷データの内容を簡単に確認することができる。
【００５３】
また、ネットワーク複合機１によれば、ユーザから印刷データの加工指示が受け付けられた場合に、指示に応じて印刷データを加工することができる。
【００５４】
更に、ネットワーク複合機１によれば、用紙に印刷されたＱＲコードを用いて保存された印刷データを特定し、特定した印刷データを削除することが可能となる。これにより、ユーザは、手元の用紙で印刷データの内容を簡単に確認してから、印刷データの削除処理ができる。また、印刷データを削除するので、メモリを有効活用することができる。
【００５５】
また、ネットワーク複合機１によれば、用紙に印刷されたＱＲコードを用いて保存された印刷データを特定し、特定した印刷データの差し替え、追加、特殊印刷等を行うことができる。従って、保存された印刷データを有効利用することができる。
【００５６】
以上、本発明の実施の形態について説明したが、本発明は、上記実施形態に限定されるものではなく種々の変形が可能である。例えば、上記実施形態では、データ加工部１０Ｆが行う削除処理として、特定した印刷データのみを削除することとしたが、これに限られない。例えば、印刷データにユニークＩＤを付するときに、小さい番号から順番に付しておき、印刷データを削除する際にユニークＩＤの番号が読み取られたＱＲコードのユニークＩＤの番号以下の印刷データを全て削除する構成としてもよい。このようにすれば、特定した印刷データより古い印刷データを一括して効率的に削除することができる。
【００５７】
また、データ加工部１０Ｆは、読取部１３によって読み取られた印刷データを、保存フォルダに保存された印刷データと自動的に差し替えてもよい。また、データ加工部１０Ｆは、読取部１３によって読み取られた印刷データを、保存フォルダに保存された印刷データへ自動的に追加してもよい。具体的には、読取部１３が、複数ページの紙文書のうち最初のページからＱＲコードを読み取り、次のページ以降からＱＲコードが読み取れなかった場合に、データ加工部１０Ｆが印刷データの差し替え処理又は追加処理を自動的に行う。
【００５８】
また、データ加工部１０Ｆは、特定した印刷データを表示部１２に表示するように構成してもよい。
【符号の説明】
【００５９】
１  ネットワーク複合機
３  ＰＣ
４  ファイルサーバ
１０  制御部
１０Ａ  ＩＤ生成部
１０Ｂ  文書管理部
１０Ｃ  パス記憶部
１０Ｄ  ＩＤ取得部
１０Ｅ  データ検索部
１０Ｆ  データ加工部
１１  操作部
１２  表示部
１３  読取部
１４  印刷部
３１  プリンタドライバ
４１  保存フォルダ
【図１】
2011055209.tif 000003
【図２】
2011055209.tif 000004
【図３】
2011055209.tif 000005
【図４】
2011055209.tif 000006
【図５】
2011055209.tif 000007
【図６】
2011055209.tif 000008